(57)【要約】【課題】  表裏面を反転して装填されても、共通のロック解除機構でシャッタのロックを解除することのできる感光性記録媒体用カートリッジを提供する。【解決手段】  カートリッジ２は、ホログラム記録ディスク４を収容するカートリッジ本体２５と、カートリッジ本体２５内でスライドして開口７を開閉するシャッタ１０と、このシャッタ１０を閉じ位置でロックするロック機構２７とからなる。ロック機構２７は、シャッタ１０の係止ピン６０，６１に係合してシャッタ１０のスライドを規制するロックレバー８０と、このロックレバー８０を係合方向に付勢するロックバネ８１とからなる。ロックレバー８０は、解除用係合部２０が回転されることによってロックが解除される。この解除用係合部２０は、カートリッジ２を反転させる際の回転中心軸上に配置されているため、カートリッジ２が反転して装填されても共通のロック解除機構を用いることができる。【選択図】        図５
2006178341.tif 000002
【特許請求の範囲】
【請求項１】
ディスク状の感光性記録媒体を挟み込むようにして回転自在に収容するカートリッジ本体と、このカートリッジ本体に設けられて感光性記録媒体を外部に露呈させる開口と、この開口を閉じる閉じ位置と開放する開き位置との間で移動自在となるように該カートリッジ本体に取り付けられているシャッタとを備えたカートリッジにおいて、
前記カートリッジ本体は、その内部にシャッタを閉じ位置でロックするロック機構が設けられており、前記カートリッジの表裏面を反転させる際の回転中心軸上には、該ロック機構を解除するロック解除手段が設けられていることを特徴とする感光性記録媒体用カートリッジ。
【請求項２】
前記カートリッジ本体は、前記感光性記録媒体に対する内面と、前記シャッタに対する外面とに、表面粗さＲａ：５〜２０μｍのマット加工、またはシボ加工が施されていることを特徴とする請求項１記載の感光性記録媒体用カートリッジ。
【請求項３】
前記カートリッジ本体は、略板形状の第１シェルと、この第１シェルに重ね合わされて溶着される第２シェルからなり、前記第１シェルと第２シェルとの材質を同一または類似の熱可塑性プラスチックで形成し、かつシャッタを含むその他の部品を該第１シェル及び第２シェルと異なる材質で形成されていることを特徴とする請求項１または２記載の感光性記録媒体用カートリッジ。
【請求項４】
前記カートリッジ本体と、シャッタは、その成形に用いられるプラスチックに遮光性物質が０．０１〜５．００重量％添加されていることを特徴とする請求項１ないし３いずれか記載の感光性記録媒体用カートリッジ。
【請求項５】
前記カートリッジ本体と、シャッタは、その成形に用いられるプラスチックにカーボンブラックが０．０１〜２．００重量％添加されていることを特徴とする請求項１ないし３いずれか記載の感光性記録媒体用カートリッジ。
【請求項６】
前記カートリッジ本体と、シャッタは、その成形に用いられるプラスチックにシリコーン系滑剤が０．１〜５．０重量％添加されていることを特徴とする請求項１ないし５いずれか記載の感光性記録媒体用カートリッジ。
【請求項７】
前記感光性記録媒体は、ホログラム記録媒体であることを特徴とする請求項１ないし６いずれか記載の感光性記録媒体用カートリッジ。
【発明の詳細な説明】
【技術分野】
【０００１】
本発明は、感光性記録媒体を収容する感光性記録媒体用カートリッジに関し、更に詳しくは、感光性記録媒体としてホログラム記録媒体を収容する感光性記録媒体用カートリッジにおけるシャッタのロック機構の簡素化に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１記載の発明では、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。また、特許文献２記載の発明では、ホログラム記録層の感応色を遮光する材質でカートリッジを形成し、ホログラム記録媒体を外部に露呈させる可動部分の合せ目には、スポンジ状の遮光材を貼付している。
【特許文献１】特開２００４−０２９４７６号公報
【特許文献２】特開２００３−３１７４２２号公報
【発明の開示】
【発明が解決しようとする課題】
【０００４】
特許文献1記載のカートリッジが、ディスク状の記録媒体を収容するカートリッジとして一般的な構造を有しているとすれば、記録媒体を回転自在な状態で挟み込むようにして収容する上側シェル及び下側シェルと、これら上側シェル及び下側シェルに記録媒体の一部を外部に露呈させるように形成される開口と、この開口を開閉するシャッタとを備えているものを考えられる。ところで、ホログラム記録媒体を収容するカートリッジは、機器の外でシャッタが開放されると、ホログラム記録層が感光されて使用できなくなってしまう。しかし、上記特許文献１及び２記載のカートリッジには、シャッタの誤開放を防止する措置がとられていない。
これを解決するために、カートリッジにシャッタを閉じ位置でロックするロック機構を設けることが考えられる。しかし、両面に記録ができるホログラム記録媒体を収容したカートリッジは、その表裏面が反転されて機器に装填されるため、カートリッジの一方の面にロック機構を設けた場合、カートリッジが装填される機器には、カートリッジの反転装填に合せてロック解除機構を二組設けなくてはならず、コストアップの要因となっていた。
【０００５】
本発明は、上記問題を解決するために、表裏面が反転して装填されても一つのロック解除機構で解除可能なロック機構を備えたカートリッジを提供することを目的とする。
【課題を解決するための手段】
【０００６】
上記課題を解決するために、本発明の感光性記録媒体用カートリッジは、カートリッジ本体の内部にシャッタを閉じ位置でロックするロック機構を設け、カートリッジの表裏面を反転させる際の回転中心軸上にロック機構を解除するロック解除手段を設けている。
【０００７】
また、カートリッジ本体の感光性記録媒体に対する面と、シャッタに対する面とに、表面粗さＲａ：５〜２０μｍのマット加工、またはシボ加工を施すとよい。これによれば、カートリッジ内部や、カートリッジ本体とシャッタとの間に光が進入した場合でも、粗面によって光を拡散、減衰させることができるため、感光性記録媒体に対する影響を軽減させることができる。
【０００８】
また、カートリッジ本体を第１シェルと第２シェルとを溶着によって構成する場合には、第１シェルと第２シェルとの材質を同一または類似の熱可塑性プラスチックで形成し、かつシャッタを含むその他の部品を該第１シェル及び第２シェルと異なる材質で形成するとよい。これによれば、第１シェルと第２シェルとの溶着時に第１シェル及び第２シェルとその他の部品とが溶着してしまうのを防止することができる。
【０００９】
また、カートリッジ本体とシャッタとの成形に用いられるプラスチックに、遮光性物質を０．０１〜５．００重量％添加するとよい。遮光性物質としてカーボンブラックを使用する場合には、０．０１〜２．００重量％を添加するとよい。これにより、カートリッジ本体とシャッタとの光透過率を小さくすることができ、カートリッジの遮光性能を向上させることができる。
【００１０】
また、カートリッジ本体とシャッタとの成形に用いられるプラスチックに、シリコーン系滑剤を０．１〜５．０重量％添加するとよい。これによれば、シャッタの動作が滑らかになるため、シャッタとカートリッジ本体との間の摩擦により削り屑等が発生するのを防止することができる。
【発明の効果】
【００１１】
本発明のカートリッジによれば、表裏面を反転させて機器に装填してもロック解除手段の位置は変化しない。そのため、機器内に設けるロック解除機構を一つにすることができ、コストを低減することができる。
【発明を実施するための最良の形態】
【００１２】
図１及び図２は、本発明を実施したホログラム記録媒体用カートリッジ（以下、カートリッジと省略する）の外観形状を示す斜視図であり、図３及び図４は、カートリッジの装填方向Ａ、及びこの装填方向Ａに直交する方向の要部断面図である。
【００１３】
カートリッジ２は、内部に設けられたディスク収容部３に円板形状のホログラム記録媒体（以下、記録ディスクと称する）４を回転自在に収容している。記録ディスク４は、カートリッジ２に収容された状態で取り扱われる。
【００１４】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。
【００１５】
カートリッジ２の上面及び下面には、ディスク収容部３に収容した記録ディスク４のホログラム記録層を外部に露呈させる開口７，８が形成されている。これらの開口７，８は、カートリッジ２内に移動自在に組み込まれたシャッタ１０の上側シャッタ板１０ａ，下側シャッタ１０ｂによって閉じられており、シャッタ１０が矢印ＢまたはＣ方向の開き位置に向けて移動されることにより開放される。シャッタ１０は、内蔵する中立機構によって中央の閉じ位置に保持され、かつロック機構によって閉じ位置でロックされている。そのため、カートリッジ２に対する振動や衝撃等によってシャッタ１０が移動し、開口７，８が不用意に開放されることはない。
【００１６】
カートリッジ２は、記録ディスク４にデータを記録する記録装置や、記録ディスク４からデータを読み出す再生装置に設けられたカートリッジスロットに対し、装填方向Ａから挿入される。記録装置または再生装置に装填されたカートリッジ２は、両面に設けられた位置決め穴１５によって位置決めされ、シャッタ１０が開き位置に移動されて開口７，８が開放される。例えば、図１に示す状態でカートリッジ２が装置に装填された場合には、下面の開口８から装置のピックアップ部がカートリッジ２内に挿入され、記録ディスク４の下面のホログラム記録層に対しデータが記録または再生される。また、カートリッジ２を裏返して装置に装填した場合には、下面に配置される開口７からピックアップ部が挿入され、図１における記録ディスク４の上面のホログラム記録層にデータが記録または再生される。
【００１７】
記録装置及び再生装置内には、カートリッジ２のロック機構を解除するロック解除機構と、シャッタ１０を閉じ位置と開き位置との間で移動させるシャッタ開閉機構とが組み込まれている。図２に示すように、ロック解除機構は、装置内で解除治具１８を軸方向に移動させ、カートリッジ２装填方向Ａの先端面に設けられたロック機構の解除用係合部２０に該治具１８を係合させる。解除用係合部２０は、例えば三叉形状となっており、解除治具１８はこの解除用係合部２０に対して容易に係合可能なように、３本の係合ピン２１が設けられている。
【００１８】
解除治具１８が解除用係合部２０に係合して反時計方向に回転されると、ロック機構が解除される。次いで、シャッタ開閉機構が装填方向Ａの先端面に形成されたスリット２３に駆動用のピンを挿入し、かつシャッタ１０の係合穴１１ａに係合させ、開き方向ＢまたはＣに移動させる。これにより、シャッタ１０がスライド移動され、図４（Ｂ）に示すように、カートリッジ２の両面の開口７，８が開放される。
【００１９】
なお、ロック解除手段である解除用係合部２０は、カートリッジ２を反転させる際の中心軸上に配置されている。そのため、カートリッジ２を反転させても解除用係合部２０の位置は変わらない。また、解除用係合部２０によるロック解除は、中心軸上で解除用係合部２０を回転させているため、カートリッジ２を反転させてもその回転方向は変わらない。これらにより、カートリッジ２が装填される機器には、一種類のロック機構を設けるだけで済む。
【００２０】
図５は、カートリッジ２の構成を示す分解斜視図である。カートリッジ２は、記録ディスク４を回転自在に収容するカートリッジ本体２５と、このカートリッジ本体２５の両面の開口７，８を外側から開閉するシャッタ１０と、カートリッジ本体２５に組み込まれる中立機構２６及びロック機構２７と、カートリッジ本体２５の装填方向Ａ先端に嵌合され、カートリッジ本体２５を塞ぐ先端嵌合部２８とからなる。
【００２１】
図６に示すように、カートリッジ本体２５は、略板状の下側シェル３０と、この下側シェル３０の上面に接合される上側シェル３１とから構成されている。下側シェル３０と上側シェル３１は、遮光性物質と滑剤とが添加された同一または類似の熱可塑性プラスチックによって形成されている。なお、本実施形態では、第１シェルとして下側シェル３０を、第２シェルとして上側シェル３１をそれぞれ対応させているが、逆にしてもよい。
【００２２】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００２３】
上記滑剤として、例えば、シリコーン系滑剤を用いることができる。このシリコーン系滑剤の添加により摩擦抵抗が低減するため、シャッタ１０の移動による削り屑の発生を少なくすることができる。また、輸送時の衝撃で記録ディスク４とカートリッジ２内壁とが接触した場合の削り屑の発生も低減することができる。更に、機器への挿入性等の取り扱い性が向上する。また、流動性が向上するため、成形時の混練性、射出成形性等の加工性等も向上する。
【００２４】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００２５】
下側シェル３０の内面には、記録ディスク４が収容される略円形のディスク収容部３と、このディスク収容部３の周囲を取り囲むように突条状に設けられた第１の凹部３４と、端縁全周に設けられた第２の凹部３５と、位置決め穴１５の周囲を取り囲む遮光壁３６と、シャッタ１０の下側シャッタ板１０ｂを収納するシャッタ収納部３７とが設けられている。シャッタ収納部３７は、下側シェル３０の外面とディスク収容部３との間に設けられており、装填方向Ａの先端側に下側シャッタ板１０ｂの挿入口となる開口部３７ａが設けられている。
【００２６】
また、上側シェル３１の内面には、下側シェル３０のディスク収容部３の上面を構成する上面部４１と、下側シェル３０の第１の凹部３４内に挿入される第１の凸部４２と、第２の凹部３５内に挿入される第２の凸部４３と、位置決め穴１５の周囲を取り囲むように設けられ、遮光壁３６内に挿入される遮光壁４４と、シャッタ１０の上側シャッタ板１０ａを収納するシャッタ収納部４５とが設けられている。シャッタ収納部４５は、下側シェル３０のシャッタ収納部３７と同様に、上側シェル３１の外面と上面部４１との間に設けられており、装填方向Ａの先端側に下側シャッタ板１０ｂの挿入口となる開口部４５ａが設けられている。
【００２７】
下側シェル３０と上側シェル３１との装填方向Ａの先端縁には、中立機構２６を収納する溝状のスペースを形成する切欠部４８，４９がそれぞれ設けられている。切欠部４８，４９内には、中立機構２６の一部を構成する４片のストッパ５０が一体に設けられている。
【００２８】
ディスク収容部３に記録ディスク４を乗せ、上側シェル３１を下側シェル３０の上面に重ね合わせると、第１の凸部４２が第１の凹部３４内に嵌合される。カートリッジ２の装填方向Ａ先端側の要部断面図である図７に示すように、第１の凹部３４内に嵌合された第１の凸部４２の先端４２ａが下側シェル３０の内面３０ａに対面し、ラビリンス状の遮光構造が形成される。また、第２の凸部４３は第２の凹部３５内に嵌合し、その先端４３ａが下側シェル３０の内面３０ａに当接することにより、嵌合構造が形成される。
【００２９】
ディスク収容部３の外周は、ラビリンス状の遮光構造によって取り囲まれるため、下側シェル３０及び上側シェル３１の合せ目から光や塵芥がディスク収容部３内に進入することはない。また、図８の断面図に示すように、位置決め穴１５の外周も、二つの遮光壁３６，４４の嵌合によりラビリンス状の遮光構造が形成されるため、位置決め穴１５から光や塵芥が進入することはない。なお、位置決め穴１５は、第１の凹部３４及び第１の凸部４２からなる遮光構造の外側に配置されているため、ディスク収容部３の遮光性及び防塵性に影響はない。
【００３０】
上側シェル３１の第２の凸部４３は、超音波溶着によって下側シェル３０の内面３０ａに固着される。これにより、下側シェル３０と上側シェル３１とが強固に接合されるため、両者の合せ目に隙間が開くようなことはない。また、超音波溶着を行なうと、プラスチック粉が周囲に飛散する場合があるが、第２の凹部３５内で行なうことにより飛散を最小限にし、記録ディスク４の汚損を防止することができる。
【００３１】
カートリッジ本体２５にシャッタ１０やロック機構１１等を組み込んだ後で、下側シェル３０と上側シェル３１とを超音波溶着すると、シャッタ１０等の他の部品も一緒に溶着されることがある。これを防止するために、シャッタ１０等の他の部品の材質には、下側シェル３０及び上側シェル３１とは異なる種類のプラスチックを用いるとよい。
【００３２】
下側シェル３０と上側シェル３１との超音波溶着による接合をより確実に行なうには、図９に示すように、第２の凸部４３の先端４３ａに突起状のエネルギーダイレクタ５３を設けるとよい。エネルギーダイレクタ５３を設けて超音波溶着を行なうと、超音波のエネルギーがエネルギーダイレクタ５３に集中するため、第２の凸部４３と下側シェル３０とをより強固に溶着することができる。なお、下側シェル３０と上側シェル３１との間の超音波溶着は、第２の凸部４３の全周で行なってもよいし、一定間隔でスポット的に行なってもよい。
【００３３】
シャッタ１０は、下側シェル３０及び上側シェル３１とは種類の異なるプラスチックで形成されている。このプラスチックには、下側シェル３０及び上側シェル３１の成形に用いたプラスチックと同様に、遮光性物質と滑剤とを添加してもよい。シャッタ１０は、カートリッジ本体２５の装填方向Ａ側の端面に配置されるベース部５７と、上側シェル３１及び下側シェル３０のシャッタ収納部４５及び３７にそれぞれ挿入される上側シャッタ板１０ａ及び下側シャッタ板１０ｂとからなる。
【００３４】
ベース部５７の外面には、シャッタ１０の開放時に使用される係合穴１１ａ，１１ｂと、ロック機構２７によって係止される係止ピン６０，６１が対称に設けられている。また、図１０（Ａ）に示すように、ベース部５７の内面には、中立機構２６に連係される一対の規制片６２，６３が両側端縁近傍に対称に設けられている。
【００３５】
シャッタ１０は、シャッタ収納部４５及び３７内で上側シャッタ板１０ａ及び下側シャッタ板１０ｂを移動させ、開口７及び８を開閉する。上側シャッタ板１０ａ及び下側シャッタ板１０ｂは、開口７、８よりも十分に大きな面積を有しているため、光や塵芥が開口７，８から進入するのを効果的に防止することができる。なお、下側シェル３０及び上側シェル３１とシャッタ１０は、原材料のプラスチックに滑剤が添加されているため、シャッタ１０の移動時の摩擦によって削り屑等が発生することはない。
【００３６】
中立機構２６は、一対のスライド部材７０，７１と、これらのスライド部材７０，７１の間を連結するバネ７２とからなる。図１０（Ａ）に示すように、一対のスライド部材７０，７１は、下側シェル３０と上側シェル３１とに設けられた切欠部４８，４９からなる溝７５内のストッパ５０の外側にスライド自在に挿入され、バネ７２の付勢によって各ストッパ５０に当接する。シャッタ１０の規制片６２，６３は、各スライド部材７０，７１とストッパ５０との間に挿入される。シャッタ１０は、押圧片６２，６３がバネ７２の付勢によって停止されたスライド部材７０，７１に当接することにより、中央の閉じ位置に位置決めされる。
【００３７】
例えば、図１０（Ｂ）に示すように、シャッタ１０が図中右方にスライドされると、右側の規制片６２がスライド部材７０をバネ７２の付勢に抗して押圧し、溝７５内でスライドさせる。他方のスライド部材７１はストッパ５０に当接しているため移動しない。この状態からシャッタ１０のスライド動作を終了すると、バネ７２の付勢によってスライド部材７０が規制片６２を押圧し、シャッタ１０を中央の閉じ位置に移動させる。
【００３８】
ロック機構２７は、先端嵌合部２８の内部に回転自在に組み込まれるロックレバー８０と、ロックバネ８１とからなる。ロックレバー８０は、両端に設けられた係合爪８２ａ，８２ｂと、先端嵌合部２８内に設けられた軸受部に回転自在に挿入される軸部８３と、前述の解除用係合部２０とからなる。この解除用係合部２０は、先端嵌合部２８に設けられた穴２８ａから外部に露呈される。
【００３９】
ロックバネ８１は、捩じりバネからなり、軸部８３に挿入されて一端がロックレバー８０に掛けられ、他端が先端嵌合部２８内に当接することにより、ロックレバー８０を図中時計方向に付勢する。
【００４０】
図１１（Ａ）は、ロック機構２７のロック状態を示す概略図である。図１及び図４（Ａ）に示すように、シャッタ１０が閉じ位置にあるときには、ロックバネ８１の付勢によって係合爪８２ａ，８２ｂがシャッタ１０の係止ピン６０，６１にそれぞれ係合している。これにより、シャッタ１０の開き方向への移動が規制されるため、シャッタ１０が不用意に開放されて記録ディスク４が曝光されることはない。
【００４１】
また、図１１（Ｂ）は、ロック機構２７のロック解除状態を示している。図２に示すように、解除用係合部２０が解除治具１８によって反時計方向の解除方向に回転されると、ロックレバー８０もロックバネ８１の付勢に抗して反時計方向に回転される。これにより、係合爪８２ａ，８２ｂと係止ピン６０，６１との係合が解除され、シャッタ１０が移動可能となる。なお、シャッタ１０は、中立機構２６によって閉じ位置に付勢されているため、ロック解除によりシャッタ１０が開くことはない。図２及び図４（Ｂ）に示すように、シャッタ１０が開き位置に移動されると開口７，８が開放され、記録ディスク４のホログラム記録層がカートリッジ２から露呈される。
【００４２】
ロック機構２７は、解除用係合部２０がカートリッジ２の表裏面を反転させる際の中心軸上にあり、かつシャッタ１０が中央の閉じ位置から左右どちらの方向へ移動させても開口７，８を開放させられるように構成されているため、カートリッジ２のどちらの面を上に向けて装置に装填しても共通のロック解除機構及びシャッタ開閉機構を使用することができる。これにより、カートリッジ２を使用する装置を簡素化し、ローコスト化を図ることができる。
【００４３】
図３のＤ矢視部の拡大図である図１２に示すように、上側シェル３１の内面には、粗面９０が形成されている。この粗面９０は、カートリッジ２内に進入した光を減衰させ、記録ディスク４のホログラム記録層への悪影響を最小限にするために設けられている。なお、詳しくは図示しないが、粗面９０は下側シェル３０にも設けられている。また、図１３に示すように、下側シェル３０の第１の凹部３４の内面と、上側シェル３１の第１の凸部４２の外面とにも粗面９２，９３を設けてもよいし、シャッタ１０の各シャッタ板１０ａ，１０ｂの内面に粗面を設けてもよい。
【実施例】
【００４４】
次に、本発明の実施例について説明する。
上側シェル及び下側シェルの成形に用いる熱可塑性プラスチックには、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリロニトリル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００４５】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【００４６】
（１）無機化合物
Ａ．酸化物・・・シリ力、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミ二ウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩・・・硫酸カルシウム、硫酸バリウム、硫酸アンモニウム、亜硫酸カルシウム等
Ｅ．ケイ酸塩・・・夕ルク、クレー、マイ力、アスベスト、ガラス繊維、ガラスバルーン、ガラスビーズ、ケイ酸カルシウム、モンモリロナイト、ベントナイト等
Ｆ．炭素・・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミ二ウムペースト、夕
ルク等
（２）有機化合物
木粉（松、樫、ノコギリクズなど）、穀繊維（アーモンド、ピーナッツ、モミ穀など）、木綿、ジュート、紙細片、非木材繊維（ワラ、ケナフ、竹、エスパルト、パガス、モロヘイヤ、煙火など）セロハン片、ナイロン繊維、ポリプロピレン繊維、・デンプン（変性デンプン、表面処理デンプンも含む）、芳香族ポリアミド繊維等
【００４７】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００４８】
遮光性物質としてカーボンブラックを使用する場合には、その添加量を０．０１〜２．００重量％とするのが好ましい。上述したように、遮光性及び物理強度のバランスがよいプラスチックを得るためである。
【００４９】
カーボンブラックの原料による分類例をあげるとガスブラック、ファーネスプラック、チャンネルブラック、アントラセンブラック、アセチレンブラック、ケッチェンカーボンプラック、サーマルブラック、ランプブラック、油煙、松煙、アニマルプラック、ベジタブルブラツク等がある。
【００５０】
好ましいカーボンブラックの市販品の代表例としては、例えば三菱化成製のカーボンブラック＃２０（Ｂ），＃３０（Ｂ），＃３３（Ｂ），＃４０（Ｂ），＃４１（Ｂ），＃４４〔Ｂ），＃４５（Ｂ），＃５０，＃５５，＃１００，＃６００，＃９５０，＃１０００，＃２２００〔Ｂ），＃２４００（Ｂ），ＭＡ８，ＭＡ１１，ＭＡ１００等が挙げられる。また、電気化学製のデンカブラック、東海カーボンのシースト、旭カーボンの旭＃７８、昭和キャボットのショウワブラック、新日鉄化学のニテロン、三菱化学のダイヤブラック等の各種グレードのものも用いることができる。
【００５１】
海外の製品としては、例えばキャボット社のＢｌａｃｋ  Ｐｅａｒｌｓ  ２，４６，７０，７１，７４，８０，８１，６０７等、Ｒｅｇａｌ３００，３３０，４００，６６０，９９１，ＳＲＦ−Ｓ等、Ｖｕｌｃａｎ  ３，６等、Ｓｔｅｒｌｉｎｇ１０，ＳＯ，Ｖ，Ｓ，ＦＴ−ＦＦ，ＭＴ−ＦＦ等が挙げられる。
【００５２】
さらにアシュランドケミカル社のＵｎｉｔｅｄ  Ｒ，ＢＢ，１５，１０２，３００１，３００４，３００６，３００７，３００８，３００９，３０１１，３０１２，ＸＣ−３０１６，ＸＣ−３０１７，３０２０等が挙げることができるが、本発明は、これらに限定されるものではない。
【００５３】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【００５４】
また、シェルに設ける粗面としては、表面粗さＲａ：５μｍ以下だと光拡散効果が薄く、２０μｍ以上だと記録ディスクとの接触時に傷を発生させるおそれがある。そのため、表面粗さＲａ：５〜２０μｍのマット加工、またはシボ加工が好ましい。
【００５５】
上記第１実施形態のカートリッジ２と、第２実施形態のカートリッジ１０２とを実際に制作し、特許文献２記載の従来のカートリッジ（比較例）とともに、遮光性及び防塵性に関する実験を行なった。遮光性実験及び防塵性実験の方法と評価基準、上下シェル及びシャッタ等の部品の材質は、次のとおりである。また、各カートリッジの材質、及び実験結果を以下の表１に記載する。
［遮光性実験］
１０万Ｌｕｘの検査光をカートリッジの各面に３分間ずつ照射し、フォトポリマーの記録性を検査
［遮光性実験の評価基準］
◎：フォトポリマーの記録性に問題なし
×：フォトポリマーの記録性に問題あり
［防塵性実験］
記録ディスクをカートリッジ内で１００万回転（速度５０００ｒｐｍ）させた後、長さ０．１ｍｍ以上のゴミの付着数を検査
［防塵性実験の評価基準］
◎：０〜５個、○：６〜１０個、△：１１〜２０個、×：２１個以上
［材質］
ＡＢＳ：デンカ汎用グレード  ＧＲ−０５００
ＰＯＭ：三菱エンジニアリングプラスチックス  ユピタール  強化・充填グレードＦＧ２０２５
【００５６】
【表１】
2006178341.tif 000003
【００５７】
上記表１に記載した実験結果からも明らかなように、比較例のカートリッジは、遮光性実験及び防塵性実験ともに結果が悪く、収容した記録ディスクの遮光性及び防塵性を保てないことがわかる。
これに対し、本発明の第１及び第２実施形態のカートリッジは、遮光性実験及び防塵性実験ともに良好な結果が得られ、収容した記録ディスクを適切に保護することができる。      
【００５８】
なお、上記各実施形態では、シャッタ１０プラスチックで形成したが、アルミニウム合金やステンレス鋼等の金属で形成してもよい。また、凹部と凸部とを嵌合させることによって遮光構造を形成したが、位置決め穴の遮光構造のように、二つの遮光壁を近接させて嵌合させることで遮光構造を得てもよい。
【００５９】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。また、下側シェル及び上側シェルを１部品で構成したが、複数の部品を組みあわせて形成してもよい。例えば、シャッタ収納部を境にして２部品で構成すれば、金型の簡易化を図ることができる。
【００６０】
更に、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジにも本発明を適用することができる。
【図面の簡単な説明】
【００６１】
【図１】第２実施形態のカートリッジの外観形状を示す斜視図である。
【図２】カートリッジのシャッタ開放状態を示す外観斜視図である。
【図３】カートリッジの装填方向の断面図である。
【図４】カートリッジの装填方向に直交する方向の断面図である。
【図５】カートリッジの構成を示す分解斜視図である。
【図６】カートリッジ本体の構成を示す分解斜視図である。
【図７】カートリッジの装填方向先端側の構成を示す要部断面図である。
【図８】位置決め穴の遮光構造を示す断面図である。
【図９】エネルギーダイレクタを設けた遮光構造の断面図である。
【図１０】中立機構の動作説明図である。
【図１１】ロック機構の動作説明図である。
【図１２】上側シェルに設けた粗面を示す断面図である。
【図１３】凸部及び凹部内に設けた粗面を示す断面図である。
【符号の説明】
【００６２】
２  カートリッジ
３  ディスク収容部
４  記録ディスク
７，８  開口
１０  シャッタ
２０  解除用係合部
２７  ロック機構
３０  下側シェル
３１  下側シェル
３４  第１凹部
３５  第２凹部
４２  第１凸部
４３  第２凸部
３７，４５  シャッタ収納部
【図１】
2006178341.tif 000004
【図２】
2006178341.tif 000005
【図３】
2006178341.tif 000006
【図４】
2006178341.tif 000007
【図５】
2006178341.tif 000008
【図６】
2006178341.tif 000009
【図７】
2006178341.tif 000010
【図８】
2006178341.tif 000011
【図９】
2006178341.tif 000012
【図１０】
2006178341.tif 000013
【図１１】
2006178341.tif 000014
【図１２】
2006178341.tif 000015
【図１３】
2006178341.tif 000016